(57)【特許請求の範囲】
【請求項１】
地中のボアホールに所定間隔開けて複数個の地震計を配置して構成される重層地震計であって、
複数個の地震計本体を、個別にそれぞれ接続したケーブルにより各々所定位置に吊り下げ支持するとともに、
最下部の地震計本体を除く他の地震計本体に、下側の前記地震計本体に接続されたケーブルを挿通するケーブル挿通部材をそれぞれ設けたこと、
を特徴とする重層地震計。
【請求項２】
請求項１記載の重層地震計であって、
ケーブル挿通部材は、地震計本体の上下両端部に取付けられ、下方に設置された地震計本体に接続されているケーブルを挿通するためのケーブル挿通孔が形成された上部固定金具と下部固定金具であることを特徴とする重層地震計。
【請求項３】
請求項１または２記載の重層地震計であって、
ケーブル挿通部材は、ボアホール内に挿入されたケーシングの内径に対応する外径形状に形成されていることを特徴とする重層地震計。
【請求項４】
請求項１〜３のいずれかに記載の重層地震計であって、
地震計をケーシング内側面に圧接する固定部材が地震計本体に設けられていることを特徴とする重層地震計。
【請求項５】
請求項１〜４のいずれかに記載の重層地震計を用いた重層地震計設置方法であって、
ケーブルがあらかじめケーブル挿通部材に挿通された状態に保たれた複数の地震計を、ケーシング内に吊り下げた後、該地震計に接続されたケーブルを昇降し、これら地震計を個別に所定の深さに合わせて設置することを特徴とする重層地震計設置方法。
【請求項６】
請求項１〜４のいずれかに記載の重層地震計を用いた重層地震計設置方法であって、
ケーシング内に設置する地震計を、下方から上方に向けて一つ一つ順に所定の深さに設置する際、
下側に設置された地震計に接続されたケーブルを、上側に設置する地震計に設けられたケーブル挿通部材に挿通して、上側の地震計を所定の深さまで下ろして設置することを特徴とする重層地震計設置方法。
【発明の詳細な説明】
【０００１】
【発明の属する技術分野】
本発明は、地中に設けられたボアホール中に設置する重層地震計およびその設置方法に関するものである。
【０００２】
【従来の技術】
地中に地震計測機器、特に重層地震計を設置する場合は、地中に穿孔されたボアホールに挿入した筒状の鋼製ケーシング中へ、例えば、図５で示すように、ケーブル５１…によって多数の地震計本体５２…を数珠繋ぎに吊り下げ支持する。
【０００３】
【発明が解決しようとする課題】
しかしながら、このような地震計測機器は、予め地震計本体５２…間がケーブル５１…によって所定間隔で接続されているため、前記鋼製ケーシング内に吊り下げ設置された地震計本体５２…を個別に縦方向へ移動変更することが出来なかった。
【０００４】
本発明は上記事情に鑑みてなされたもので、ボアホール中に吊り下げ支持される複数の地震計間の間隔が容易に変更可能な重層地震計を提供することを目的としている。
【０００５】
【課題を解決するための手段】
上記目的を達成すべく本発明の請求項１記載の重層地震計１は、例えば図１で示すように、
地中のボアホールに所定間隔開けて複数個の地震計５…を配置して構成される重層地震計１であって、
複数個の地震計本体２…を、個別にそれぞれ接続したケーブル３…により各々所定位置に吊り下げ支持するとともに、
最下部の地震計本体２を除く他の地震計本体２…に、下側の前記地震計本体２…に接続された前記ケーブル３…を挿通するケーブル挿通部材４をそれぞれ設けたことを特徴とするものである。
【０００６】
前記地震計本体２は、その設置場所に到達した地震波の成分を検出するセンサであって、例えば、長尺な筒体がセンサの部品を内包しているものが望ましい。前記ケーブル挿通部材４は、下側の前記地震計本体２…に接続されたケーブル３…が挿通可能であるならばどのような形状のものでも良く、例えば、前記地震計本体２に少なくとも一つ設けられているのが望ましい。
【０００７】
請求項１記載の前記重層地震計によれば、前記地震計本体に接続されたケーブルは、他の地震計本体に邪魔にならないよう前記ケーブル挿通部材に挿通しつつ昇降可能であるので、ボアホール中に吊り下げ支持される複数の地震計本体間の間隔が容易に変更することができるとともに、前記ケーブルに接続された前記地震計本体を各々所望の位置に容易に設置することができる。
【０００８】
請求項２記載の重層地震計１は、例えば図１〜２で示すように、請求項１記載の重層地震計１において、
前記ケーブル挿通部材４は、前記地震計本体２の上下両端部に取付けられ、下方に設置された地震計本体２…に接続されている前記ケーブル３…を挿通するためのケーブル挿通孔１０が形成された上部固定金具８と下部固定金具９であることを特徴とするものである。
【０００９】
請求項２記載の重層地震計によれば、前記地震計本体は、該地震計本体の上下両端部に取付けられた前記上部固定金具と前記下部固定金具とによって所定の位置に固定され設置することができる。
【００１０】
請求項３記載の重層地震計１は、例えば図４で示すように、請求項１または２記載の重層地震計１において、
前記ケーブル挿通部材４は、ボアホール内に挿入されたケーシングＣの内径に対応する外径形状に形成されていることを特徴とするものである。
【００１１】
請求項３記載の重層地震計によれば、前記ケーブル挿通部材と前記ケーシングとは広く離間することがないので、該重層地震計は大きなぶらつきを生じずに該ケーシング内で設置することができる。
【００１２】
請求項４記載の重層地震計１は、例えば図１〜４で示すように、請求項１〜３のいずれかに記載の重層地震計１において、
前記地震計５を前記ケーシングＣ内側面に圧接する固定部材６が前記地震計本体２に設けられていることを特徴とするものである。
【００１３】
前記固定部材６は、前記ケーシングＣ中に吊り下げ所定の位置に支持された前記地震計本体２を、さらに、その位置で強固に固定するものであって、例えば、前記地震計本体２に突出するように設けられているのが望ましい。
【００１４】
請求項４記載の重層地震計によれば、前記地震計は、前記地震計本体に設けられた前記固定部材によって、前記ケーシング内側面に圧接されて所定の位置に強固に固定し設置することができる。
【００１５】
請求項５記載の重層地震計設置方法は、例えば図１で示すように、請求項１〜４のいずれかに記載の重層地震計１において、
前記ケーブル３…があらかじめ前記ケーブル挿通部材４…に挿通された状態に保たれた複数の地震計５…を、前記ケーシングＣ内に吊り下げた後、該地震計５に接続された前記ケーブル３を昇降し、これら地震計５…を個別に所定の深さに合わせて設置することを特徴とする。
【００１６】
請求項５記載の重層地震計設置方法によれば、複数の地震計を、前記ケーブルが予め前記ケーブル挿通部材に挿通された状態で該地震計間の間隔を保ちつつ前記ケーシング内に吊り下げるため、該地震計を容易に所定の位置に設置することができる。さらに、前記地震計間の間隔を、前記ケーシング内に吊り下げられ前記地震計に接続されたケーブルを昇降することで容易に変えることが出来る。
【００１７】
請求項６記載の重層地震計設置方法は、例えば図１で示すように、請求項１〜４のいずれかに記載の重層地震計１において、
前記ケーシングＣ内に設置する前記地震計５を、下方から上方に向けて一つ一つ順に所定の深さに設置する際、
下側に設置された地震計５…に接続されたケーブル３…を、上側に設置する地震計５に設けられた前記ケーブル挿通部材４に挿通して上側の地震計５を所定の深さまで下ろして設置することを特徴とする。
【００１８】
【発明の実施の形態】
以下に、本発明に係る重層地震計１における実施の形態例を、図１から図４に基づいて説明する。
【００１９】
本例の重層地震計１は、図１〜４で示すように、設置場所に到達した地震波の成分を検出する地震計本体２と、最下部の地震計本体２を除く他の地震計本体２…に設けられ、下側の前記地震計本体２…に接続されたケーブル３…を挿通することができるケーブル挿通部材４とを備えて構成された複数の地震計５…と、該地震計５…に個別にそれぞれ接続される複数のケーブル３…と、を備えて構成されている。
【００２０】
前記地震計本体２は、円筒状のケースに地震波を検出するセンサ部品が内蔵されており、ボアホールよりの該地震計本体２の外周において、その上下には突起状の固定部材６、６が、突出するよう設けられている。
【００２１】
前記ケーブル３は、該ケーブル３の自重および前記地震計５を支持できるものであって、一端部が二手に枝分かれした状態で形成されている。前記ケーブル３の枝分かれした先端部は、前記ケーブル挿通部材４に設けられたケーブル接続部７、７に接続され、該ケーブル３が接続されていない上方の地震計５…に設けられた前記ケーブル挿通部材４…に挿通されている。
【００２２】
前記ケーブル挿通部材４は、上部固定金具８と下部固定金具９とを備えて構成されている。前記上部固定金具８および下部固定金具９の周縁部寄りには、平面視円状のケーブル挿通孔１０が貫通するように形成されている。
前記ケーブル挿通孔１０は、下方に設置された前記地震計本体２…に接続された前記ケーブル３…が挿通可能な程度の大きさに形成されている。
【００２３】
また、前記上部固定金具８および下部固定金具９は、側面視台形状の円板であって、該上部固定金具８の小さい円状の面１１には前記ケーブル３を接続するケーブル接続部７、７が、該ケーブル３を接続し吊り下げた際に前記地震計５がほぼ垂直に支持される位置に設けられている。
さらに、前記上部固定金具８および下部固定金具９の大きい円状の面１２、１２（すなわち小さい円状の面１１の裏面）には、前記地震計本体２の上下端部を接続する円状の溝１３が前記ケーブル挿通孔１０と反対側の周縁部に設けられている。
【００２４】
前記上部固定金具８および下部固定金具９は、前記大きい円状の面１２、１２が互いに向き合うようにして前記地震計本体２の縦方向と直交するように、該地震計本体２の上下両端部が前記溝１３、１３に接続されている。
【００２５】
次に、本発明の重層地震計１を用いた重層地震計設置方法について説明する。
まず、前記ケーブル３…が予め前記ケーブル挿通部材４…に挿通された状態に保たれ、該ケーブル３…が個別に接続された複数の前記地震計５…を、ケーシングＣ内に下ろした後、前記ケーブル３…を昇降して該地震計５を個別に所定位置に合わせて吊り下げ支持する。
その後、前記地震計本体２に設けられた前記固定部材６、６を移動することにより、図３で示すように、該固定部材６、６をケーシングＣの内側面に圧接すると同時に、該固定部材６とは反対側に位置する前記上部固定金具８および下部固定金具９の縁部をケーシングＣの内側面に圧接し、前記地震計５を所定位置に固定し設置する。
【００２６】
したがって、前記重層地震計１において、前記地震計５…は、前記ケーブル３…が予め前記ケーブル挿通部材４…に挿通された状態で該地震計５…間の間隔を保ちつつケーシングＣ内に吊り下げられた後、前記ケーブル３…を昇降し、前記固定部材１３、１３を可動することで、前記地震計５…は容易に所定の位置に設置することができる。
【００２７】
次ぎに、本発明の重層地震計１を用いた重層地震計設置方法の他の例について説明する。この設置方法は、ケーシングＣ内に設置する前記地震計本体２…を、下方から上方に向けて一つ一つ順に所定の深さに設置する際、下方に設置された地震計５…に接続されたケーブル３…を、上方に設置する地震計５に設けられた前記ケーブル挿通部材４に挿通して、上方の地震計５を所定の深さまで吊り下げ支持した後、該上方の地震計５における地震計本体２に設けられた前記固定部材６、６を可動して該上方の地震計５をボアホール中に固定し設置する。その後、上記と同様にして、さらに上方の地震計５を、ボアホール内で所定位置に固定し設置する。
【００２８】
なお、以上の実施の形態例においては、前記地震計本体２の上下両端部には、前記ケーブル挿通孔１０が形成された前記ケーブル挿通部材４（上部固定金具８および下部固定金具９）が接続されているが、本発明はこれに限定されるものではなく、該ケーブル挿通部材４は前記地震計本体２のどの個所に接続され設けられても良い。
また、前記地震計本体２と前記ケーブル挿通部材４、および前記固定部材６の形状等も任意であり、その他、具体的な細部構造等についても適宜に変更可能であることは勿論である。
【００２９】
さらに、上記の重層地震計設置方法等も任意であり、前記ケーシングＣ内に設置する複数の地震計本体２を数回に分けて吊り下げることで、所定の位置に設置しても良い。
【００３０】
【発明の効果】
以上のように、請求項１記載の発明に係わる重層地震計によれば、地震計本体に個別に接続されたケーブルは、上方に設置された地震計に設けられたケーブル挿通部材に挿通された状態で、前記地震計をボアホール中に吊り下げ支持されるため、前記地震計間の間隔は、前記ケーブルによって容易に変更することができるとともに、該ケーブルに接続された前記地震計を各々所望するボアホールの位置に容易に設置することができる。
【００３１】
請求項２記載の発明に係る重層地震計によれば、請求項１と同様の効果を得ることができるのは勿論のこと、前記地震計本体の上下両端部には、それぞれ上部固定金具と下部固定金具とが接続されているため、該地震計本体は、該上部固定金具と下部固定金具とによって、ボアホール内に固定することができる。
【００３２】
請求項３記載の発明に係る重層地震計によれば、請求項１または２と同様の効果を得ることができるのは勿論のこと、前記ケーブル挿通部材は、前記ボアホールの内径に対応した外径形状に形成されているため、該ケーブル挿通部材と該ボアホールとが大きく離間することなく、前記重層地震計を前記ボアホール内に設置することができる。
【００３３】
請求項４記載の発明に係る重層地震計によれば、請求項１〜３のいずれかと同様の効果を得ることができるのは勿論のこと、前記固定部材を可動することで前記地震計をケーシング内側面に圧接させるため、ボアホール中に吊り下げ支持された該地震計を各々所定の位置に強固に固定し設置することができる。
【００３４】
請求項５記載の発明に係る重層地震計設置方法によれば、前記地震計間の間隔は、前記ケーブルを昇降することで容易に変更することができる。したがって、ボアホール内に吊り下げ支持された地震計は、容易に所定の位置に設置することができる。
【図面の簡単な説明】
【図１】本発明に係わる重層地震計の一例を示すもので、ケーシング内に重層地震計を吊り下げた状態を示す斜視図である。
【図２】同、地震計を示す斜視図である。
【図３】同、ケーシング内の地震計の平面図である。
【図４】同、大きさが異なるケーブル挿通部材を示す側面図である。。
【図５】地震計に関する従来の技術の一例を示す側面図である。
【符号の説明】
１   重層地震計
２   地震計本体
３   ケーブル
４   ケーブル挿通部材
５   地震計
６   固定部材
８   上部固定金具
９   下部固定金具
１０ ケーブル挿通孔
【図１】
0004146051.tif 000002
【図２】
0004146051.tif 000003
【図３】
0004146051.tif 000004
【図４】
0004146051.tif 000005
【図５】
0004146051.tif 000006